(57)【要約】      （修正有）【課題】構造が簡単で安価に製造することができる転てつ器用標識灯を提供する。【解決手段】灯箱１の底板１ａに、ＬＥＤ用の電球受金ソケット２を固定配置し、この電球受金ソケット２に電球型ＬＥＤランプ４を装着する。底板１ａに、灯箱１を転てつ器の標識軸の頂部に連結するための標識軸結合金具１３を設ける。灯箱１の角筒部１ｂを形成する各側板に投光用の穴を設けこれらの穴に着色レンズなどの光学素子を配置する。光学素子は保持枠を介して灯箱１の各側板に固定する。【選択図】図１
0003204830.tif 000002
【実用新案登録請求の範囲】
【請求項１】
鉄道の軌道のポイント切替え動作を行う転てつ器の標識軸に取り付けられる標識灯であって、底板（１ａ）と角筒部（１ｂ）と天板（１ｃ）とから成る灯箱（１）と、前記底板（１ａ）に固定配置されたＬＥＤ用の電球受金ソケット（２）と、前記電球受金ソケット（２）に装着された電球型ＬＥＤランプ（４）と、前記底板（１ａ）に固定配置され転てつ器の標識軸の頂部に連結可能な標識軸結合金具（１３）と、前記角筒部（１ｂ）を形成する各側板に形成された投光用の穴に配置された着色レンズなどの光学素子（９）（１０）（１１）（１２）（１４）（１５）（１６）（１７）と、前記角筒部（１ｂ）の各側板に固定され前記光学素子（９）（１０）（１１）（１２）（１４）（１５）（１６）（１７）を保持する保持枠（８）とを備えたことを特徴とする転てつ器標識灯。
【考案の詳細な説明】
【技術分野】
【０００１】
本考案は、鉄道の軌道のポイント切替え動作を行う転てつ器の標識軸に取り付けられる転てつ器標識灯に関する。
【背景技術】
【０００２】
鉄道軌道のポイント切替用の転てつ器は、ポイント切替えの動作が夜間でも確認できるように標識軸の頂部に、標識灯が取り付けられている。
従来、このような標識灯の光源には、白熱電球が使用されていた。また、標識灯の光源として、基板に複数の発光ダイオード（ＬＥＤ）を分散配置したものも知られている（特許文献１参照）。
【先行技術文献】
【特許文献】
【０００３】
【特許文献１】特開２００１−３９３０２号公報
【考案の概要】
【考案が解決しようとする課題】
【０００４】
白熱電球を使用した標識灯は、白熱電球の発熱を処理するための機構が必要であり、また電力の消費量が多いためコスト高となるという問題点があった。
また、基板に複数のＬＥＤを配置した構成を用いた標識灯は、内部機構が複雑になるという問題点があった。
本考案は、上記問題点を解決することを目的とするものである。
【課題を解決するための手段】
【０００５】
上記目的を達成するため、本考案は、鉄道の軌道のポイント切替え動作を行う転てつ器の標識軸に取り付けられる標識灯であって、底板（１ａ）と角筒部（１ｂ）と天板（１ｃ）とから成る灯箱（１）と、前記底板（１ａ）に固定配置されたＬＥＤ用の電球受金ソケット（２）と、前記電球受金ソケット（２）に装着された電球型ＬＥＤランプ（４）と、前記底板（１ａ）に固定配置され転てつ器の標識軸の頂部に連結可能な標識軸結合金具（１３）と、前記角筒部（１ｂ）を形成する各側板に形成された投光用の穴に配置された着色レンズなどの光学素子（９）（１０）（１１）（１２）（１４）（１５）（１６）（１７）と、前記角筒部（１ｂ）の各側板に固定され前記光学素子（９）（１０）（１１）（１２）（１４）（１５）（１６）（１７）を保持する保持枠（８）とを備えたことを特徴とするものである。
【考案の効果】
【０００６】
本考案は、灯箱にＬＥＤ電球受金ソケットを配備し、これに電球型ＬＥＤランプを装着した構成としたので、従来の白熱電球やＬＥＤを複数基板に配置した構成に比し、構造を簡単にすることができ、安価に製造することができる。
【図面の簡単な説明】
【０００７】
【図１】標識灯の内部構造を示す断面説明図である。
【図２】標識灯の内部構造を示す平面説明図である。
【図３】標識灯の平面説明図である。
【図４】標識灯の側面説明図である。
【図５】標識灯の底部の正面説明図である。
【図６】標識灯の底面説明図である。
【図７】標識灯の底面説明図である。
【図８】光学素子の説明図である。
【図９】標識灯の他の実施形態の底面説明図である。
【図１０】光学素子の説明図である。
【考案を実施するための形態】
【０００８】
以下に本考案の実施形態について、図面を参照して詳細に説明する。
転てつ器標識灯には、２色を組み合わせた普通転てつ器標識灯や、発条転てつ器標識灯などの他に、３色を組み合わせた脱線転てつ器標識灯があるが、以下図（１）〜（８）を参照して、２色を組み合わせた転てつ器標識灯について説明する。
【０００９】
図１は、本考案の要部の構造を示す断面説明図であり、図に示すように、灯箱１の底板１ａに、磁器製のＬＥＤ用電球受金ソケット２が取付ビス３によって固定されている。このＬＥＤ用電球受金ソケット２には、従来の耐熱電球と同じ明るさと色を発光する電球型ＬＥＤランプ４の口金が脱着自在に装着されている。ソケット２は、ケーブル５を介して外部の電源供給部に電気的に接続している。図中６は、電源ケーブルプロテクターである。
【００１０】
灯箱１の底板１ａには、ちょうボルト７により、灯箱１の底部が脱着可能に固定されている。灯箱１は、底板１ａと断面四角形状の角筒部１ｂとこれの頂部に一体的に形成された天板１ｃとから成り、これらは、冷間圧延鋼板により構成をされている。四面構造の角筒部１ｂの各面を構成する側板には、それぞれ投光用の穴が穿設され、該穴は、角筒部１ｂの中心に対して四方向に配置されている。角筒部１ｂの各側板には、フード８ａが形成された保持枠８がねじにより固定されている。
【００１１】
各保持枠８の枠部には、紫色を発光する着色レンズから成る光学素子９，１０と黄赤（橙黄）色を発光する着色レンズから成る光学素子１１，１２が保持されている。各光学素子９，１０，１１，１２は、それぞれ対応する角筒部１ｂの各側板の投光用の穴に対面配置されている。灯箱１の底板１ａには、球状黒鉛鋳鉄品により構成される標識軸結合金具１３の上部が固定されている。
【００１２】
標識軸結合金具１３は、鉄道軌道のポイント切替用の転てつ器（図示省略）の標識軸の頂部に装着される。尚、３色を組み合わせた脱線転てつ器標識灯は、図（９）〜（１０）に示すように、灯箱１の各側板の投光用の穴に黄赤発光用の着色レンズから成る光学素子１４，１５と、赤発光用着色レンズから成る光学素子１６と、乳白色ガラスから成る光学素子１７が対面配置される。
【００１３】
上記した構成において、灯箱１は、転てつ器の標識軸の頂部に取り付けられ、灯箱１の内部の電球型ＬＥＤランプ４の光が灯箱１の四面に配置された着色光学素子９，１０，１１，１２，１３，１４，１５，１６を通して外部に投射される。
【符号の説明】
【００１４】
１      灯箱
１ａ    底板
１ｂ    角筒部
１ｃ    天板
２      電球受金ソケット
３      ビス
４      電球型ＬＥＤランプ
５      ケーブル
６      電源ケーブルプロテクター
７      ちょうボルト
８      保持枠
８ａ    フード
９      紫色発光光学素子
１０    紫色発光光学素子
１１    黄赤（橙黄）色発光光学素子
１２    黄赤（橙黄）色発光光学素子
１３    標識軸結合金具
１４    黄赤発光用光学素子
１５    黄赤発光用光学素子
１６    赤発光用光学素子
１７    赤発光用光学素子
【図１】
0003204830.tif 000003
【図２】
0003204830.tif 000004
【図３】
0003204830.tif 000005
【図４】
0003204830.tif 000006
【図５】
0003204830.tif 000007
【図６】
0003204830.tif 000008
【図７】
0003204830.tif 000009
【図８】
0003204830.tif 000010
【図９】
0003204830.tif 000011
【図１０】
0003204830.tif 000012